(57)【要約】【課題】必要とされるタイミングにおける測定結果を容易に確認することができると共に、適切なタイミングでの測定を行うことができる紫外線測定装置を得る。【解決手段】ＣＰＵ２２は、紫外線受光素子４２による紫外線強度の測定を開始するタイミングが検出されたときに予め定められたサンプリング間隔での紫外線強度の測定を開始して当該測定により得られた紫外線強度を示す情報を時系列にメモリ２６に記憶すると共に、紫外線強度の測定を停止するタイミングが検出されたときに紫外線強度の測定を停止し、かつ測定を停止したタイミングを示す停止コードをメモリ２６に記憶する。メモリ２６に記憶された情報は、必要に応じてデータ入出力端子４８を介して外部に出力される。【選択図】　　　　図４
2004045161.tif 000002
【特許請求の範囲】
【請求項１】
紫外線に関する物理量を検知する検知手段と、
前記検知手段によって検知された物理量を示す物理量情報を記憶するための記憶手段と、
前記物理量の測定を開始する第１タイミング及び当該測定を停止する第２タイミングを検出するタイミング検出手段と、
前記タイミング検出手段により前記第１タイミングが検出されたときに予め定められたサンプリング間隔での前記検知手段を用いた前記物理量の測定を開始して当該測定により得られた物理量を示す物理量情報を前記記憶手段に時系列に記憶すると共に、前記タイミング検出手段により前記第２タイミングが検出されたときに前記物理量の測定を停止し、かつ測定を停止したタイミングを示す停止タイミング情報を前記記憶手段に記憶するように前記記憶手段を制御する制御手段と、
を備えた紫外線測定装置。
【請求項２】
前記物理量を、紫外線量及び紫外線強度の少なくとも一方とした
請求項１記載の紫外線測定装置。
【請求項３】
前記記憶手段により記憶された前記物理量情報に基づく表示情報を表示するための表示手段を更に備えると共に、
前記制御手段は、前記記憶手段により記憶された前記物理量情報により示される物理量を時系列に表示すると共に、前記停止タイミング情報により示される測定を停止したタイミングを示すマークを表示するように前記表示手段を制御する
請求項１又は請求項２記載の紫外線測定装置。
【請求項４】
前記制御手段は、更に前記記憶手段により記憶された前記物理量情報により示される物理量を累積した累積物理量を表示するように前記表示手段を制御する
請求項３記載の紫外線測定装置。
【請求項５】
前記表示手段を前記検知手段とは異なる面に配置した
請求項３又は請求項４記載の紫外線測定装置。
【請求項６】
前記タイミング検出手段を、前記検知手段により検知された物理量が所定量以上となったことを検出することにより前記第１タイミングを検出し、かつ当該物理量が前記所定量未満となったことを検出することにより前記第２タイミングを検出するものとした
請求項１乃至請求項５の何れか１項記載の紫外線測定装置。
【請求項７】
必要に応じて操作される操作手段を更に備えると共に、
前記タイミング検出手段を、前記操作手段が操作されたことを検出することにより前記第１タイミングを検出し、かつ前記操作手段が再び操作されたことを検出することにより前記第２タイミングを検出するものとした
請求項１乃至請求項５の何れか１項記載の紫外線測定装置。
【請求項８】
必要に応じて操作される操作手段を更に備えると共に、
前記タイミング検出手段を、前記検知手段により検知された物理量が所定量以上となったことを検出することにより前記第１タイミングを検出し、かつ前記操作手段が操作されたことを検出することにより前記第２タイミングを検出するものとした
請求項１乃至請求項５の何れか１項記載の紫外線測定装置。
【請求項９】
必要に応じて操作される操作手段を更に備えると共に、
前記タイミング検出手段を、前記操作手段が操作されたことを検出することにより前記第１タイミングを検出し、かつ前記検知手段により検知された物理量が所定量未満となったことを検出することにより前記第２タイミングを検出するものとした
請求項１乃至請求項５の何れか１項記載の紫外線測定装置。
【請求項１０】
前記操作手段を前記検知手段とは異なる面に配置した
請求項７乃至請求項９の何れか１項記載の紫外線測定装置。
【請求項１１】
前記記憶手段に記憶する物理量情報に圧縮及び暗号化の少なくとも一方の処理を施す処理手段
を更に備えた請求項１乃至請求項１０の何れか１項記載の紫外線測定装置。
【請求項１２】
前記記憶手段に記憶された前記物理量情報を外部に出力するための出力端子を更に備えた
請求項１乃至請求項１１の何れか１項記載の紫外線測定装置。
【請求項１３】
請求項１乃至請求項１２の何れか１項記載の紫外線測定装置と、
前記紫外線測定装置によって記憶された物理量情報を取得して記録する情報記録装置と、
前記紫外線測定装置と前記情報記録装置との間における情報の通信を制御する通信制御装置と、
を備えた紫外線測定システム。
【請求項１４】
前記紫外線測定装置は、前記記憶手段に記憶された前記物理量情報と前記停止タイミング情報とを前記情報記録装置に前記通信制御装置を介して送信し、
前記情報記録装置は、前記紫外線測定装置から受信した前記停止タイミング情報に基づいて、前記紫外線測定装置から受信した前記物理量情報を、途中で停止されることなく連続して測定された物理量情報毎に１つのファイルとして記録する
請求項１３記載の紫外線測定システム。
【請求項１５】
前記通信制御装置は、前記紫外線測定装置が有する通信プロトコルと前記情報記録装置が有する通信プロトコルとが異なる場合の通信プロトコルのインタフェース機能、前記記憶手段に記憶された物理量情報が圧縮されたものである場合の伸張機能、前記記憶手段に記憶された物理量情報が暗号化されたものである場合の復号化機能の少なくとも１つの機能を備えた
請求項１３又は請求項１４記載の紫外線測定システム。
【発明の詳細な説明】
【０００１】
【発明の属する技術分野】
本発明は、紫外線測定装置及び紫外線測定システムに係り、より詳しくは、紫外線に関する物理量を簡易に測定することができる紫外線測定装置及び該紫外線測定装置を用いた紫外線測定システムに関する。
【０００２】
【従来の技術】
近年、印刷装置、半導体製造装置、殺菌処理装置、オゾン発生器等、紫外線を使用した工業用装置が広く用いられている。また、このような装置を用いた設備は、紫外線を用いることによる人体への悪影響や省力化を考慮して、例えばベルトコンベア等を用いて自動化されている場合が多い。
【０００３】
紫外線を発する光源としては太陽、水銀灯、レーザ、シンクロトロン放射等が挙げられるが、このうち水銀灯は安価であり、かつ強い紫外線を容易に得ることができることから広く工業用として用いられている。なお、水銀灯は、励起状態の水銀原子からの発光を利用したものであり、その水銀蒸気圧力により、超高圧水銀灯、高圧水銀灯、中圧水銀灯、低圧水銀灯等がある。このうち、低圧水銀灯から発する光は、１８５ｎｍ及び２５４ｎｍの波長の輝線がその殆どを占めている。また、高圧水銀灯から発する光は、３１３ｎｍや３６６ｎｍと長波長の可視波長の輝線がある。工業用として用いられる紫外線は、これらの波長のものであり、その用途は、印刷用インク等の硬化や乾燥、食品等の殺菌の他、オゾンの発生源としても用いられる。
【０００４】
ところで、以上のような紫外線を用いた工業用装置では、常に一定の紫外線量や紫外線強度を維持することが肝心であり、処理対象とする商品や部品等に対して所定の紫外線量（瞬間紫外線量及び積算紫外線量を含む。）や紫外線強度（瞬間紫外線強度及び積算紫外線強度を含む。）が照射されているか否かを確認する必要がある。また、これとは逆に、本来、紫外線が照射されるべきでない箇所に過度に紫外線が照射されていないことを確認する必要がある場合もある。
【０００５】
これらのことを背景に、従来、紫外線量や紫外線強度を測定する紫外線測定装置として、紫外線量や紫外線強度を検知するセンサを測定対象とする装置の紫外線照射位置に配設し、かつ測定装置本体を当該測定対象とする装置とは異なる位置に配設すると共に、上記センサと上記測定装置本体とをリード線で接続し、測定対象とする装置を作動させた状態でセンサにより検知された紫外線量や紫外線強度を測定装置本体で記録するものがあった。
【０００６】
しかしながら、この紫外線測定装置では、センサと測定装置本体とを接続するリード線が紫外線の照射域に存在するため、当該リード線は耐紫外線性、耐熱性を有する材料で被覆されている必要があるが、当該被覆材料として適切なものがなかった。また、紫外線の照射域が広く測定距離が長くなると長いリード線が必要となるが、リード線が長くなるとノイズを拾い易く、測定誤差の原因となっていた。
【０００７】
このような問題点に鑑み、従来、センサと測定部とが一体化された紫外線測定装置（例えば、特開平９−１４５４７３号公報、特開２００１−８３００８等に記載の装置）があった。
【０００８】
【発明が解決しようとする課題】
しかしながら、従来の一体型の紫外線測定装置では、紫外線測定の自動化や紫外線の人体に対する悪影響を考慮して、紫外線量や紫外線強度の測定対象とする設備や装置の作動期間中は紫外線量や紫外線強度を常時測定するものとされており、必要とされるタイミングにおける測定結果を確認することが困難であると共に、測定対象によっては測定された紫外線量や紫外線強度を記憶するための記憶手段の容量不足が発生し、適切なタイミングでの測定を行うことができない、という問題点があった。
【０００９】
例えば、印刷用インクの硬化用や乾燥用として用いられている紫外線照射装置を備えた印刷システムは一般に、印刷対象物をベルトコンベアで搬送しつつ、当該印刷対象物に対して印刷部により紫外線硬化性のインクを用いて印刷処理を施した後、紫外線照射装置により紫外線を照射するものとされている。この印刷システムにおいて紫外線測定装置を用いて紫外線量や紫外線強度を測定する場合には、紫外線測定の自動化や紫外線の人体に対する悪影響を考慮して上記ベルトコンベアに紫外線測定装置を載置した状態で紫外線を測定することになるが、この場合、測定を開始させた状態で紫外線測定装置をベルトコンベアに載置すると共にベルトコンベアを作動させ、紫外線測定装置が紫外線照射装置による紫外線の照射位置を通過した後にベルトコンベアを停止させて紫外線測定装置による測定を停止させることになる。
【００１０】
従って、この場合の測定結果は、ベルトコンベアによる紫外線測定装置の搬送経路の全てにおける測定結果となっているため、どの部分が紫外線照射装置により照射された紫外線量や紫外線強度の測定結果であるかを判断することが困難である。また、この場合、紫外線量や紫外線強度の測定期間が長いので、測定の途中で紫外線測定装置に搭載されている記憶手段の残記憶容量がなくなり、目的とする紫外線照射装置からの紫外線の照射量が記録できない場合も有り得る。
【００１１】
本発明は上記問題点を解消するためになされたものであり、必要とされるタイミングにおける測定結果を容易に確認することができると共に、適切なタイミングでの測定を行うことができる紫外線測定装置を提供することを第１の目的とし、当該紫外線測定装置による測定結果を容易に利用することができる紫外線測定システムを提供することを第２の目的とする。
【００１２】
【課題を解決するための手段】
上記第１の目的を達成するために、請求項１記載の紫外線測定装置は、紫外線量に関する物理量を検知する検知手段と、前記検知手段によって検知された物理量を示す物理量情報を記憶するための記憶手段と、前記物理量の測定を開始する第１タイミング及び当該測定を停止する第２タイミングを検出するタイミング検出手段と、前記タイミング検出手段により前記第１タイミングが検出されたときに予め定められたサンプリング間隔での前記検知手段を用いた前記物理量の測定を開始して当該測定により得られた物理量を示す物理量情報を前記記憶手段に時系列に記憶すると共に、前記タイミング検出手段により前記第２タイミングが検出されたときに前記物理量の測定を停止し、かつ測定を停止したタイミングを示す停止タイミング情報を前記記憶手段に記憶するように前記記憶手段を制御する制御手段と、を備えている。
【００１３】
請求項１に記載の紫外線測定装置によれば、検知手段により紫外線に関する物理量が検知され、検知された物理量を示す物理量情報が記憶手段によって記憶される。なお、上記検知手段には、シリコン光検出器に可視光カットフィルタを組み合わせて構成した紫外線センサ、ＵＶトロン、光電子増倍管等のあらゆる紫外線センサが含まれる。また、上記記憶手段には、ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）、フラッシュＥＥＰＲＯＭ（Ｆｌａｓｈ　ＥＥＰＲＯＭ）、ＲＡＭ（Ｒａｎｄｏｍ　Ａｃｃｅｓｓ　Ｍｅｍｏｒｙ）等の記憶素子や、フロッピィディスク、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−ＲｅＷｒｉｔａｂｌｅ）、光磁気ディスク等の可搬型の記録媒体が含まれる。
【００１４】
ここで、本発明では、制御手段により、タイミング検出手段によって上記物理量の測定を開始する第１タイミングが検出されたときに予め定められたサンプリング間隔での上記検知手段を用いた物理量の測定が開始されて当該測定により得られた物理量を示す物理量情報が上記記憶手段に時系列に記憶されると共に、タイミング検出手段によって物理量の測定を停止する第２タイミングが検出されたときに物理量の測定が停止され、かつ測定が停止されたタイミングを示す停止タイミング情報が上記記憶手段に記憶されるように当該記憶手段が制御される。
【００１５】
すなわち、本発明では、タイミング検出手段により、紫外線に関する物理量の測定を開始する第１タイミングと当該測定を停止する第２タイミングとを検出すると共に、検出された第１タイミングから第２タイミングに至るまで上記物理量の測定を行うようにしており、これによって適切なタイミングで紫外線に関する物理量の測定を行うことができると共に、必要とされるタイミングにおける測定結果を容易に確認できるようにしている。
【００１６】
また、本発明では、上記第１タイミングから上記第２タイミングまでの間に測定された物理量を示す物理量情報を時系列に記憶すると共に、測定が停止されたタイミングを示す停止タイミング情報を記憶するようにしており、これによって、測定が停止された後に再び測定が行われた場合でも、測定によって記憶された物理量情報を停止タイミング情報に基づいて各測定期間毎に区別することができ、この結果として必要とされるタイミングにおける測定結果を容易に確認することができるようにしている。
【００１７】
このように、請求項１に記載の紫外線測定装置によれば、紫外線に関する物理量の測定を開始する第１タイミングが検出されたときに予め定められたサンプリング間隔での上記物理量の測定を開始して当該測定により得られた物理量を示す物理量情報を時系列に記憶すると共に、上記物理量の測定を停止する第２タイミングが検出されたときに上記物理量の測定を停止し、かつ測定を停止したタイミングを示す停止タイミング情報を記憶しているので、必要とされるタイミングにおける測定結果を容易に確認することができると共に、適切なタイミングでの測定を行うことができる。
【００１８】
なお、請求項２に記載の発明のように、請求項１に記載の発明における前記物理量を、紫外線量及び紫外線強度の少なくとも一方とすることができる。
【００１９】
検知手段により紫外線強度を検知する場合で、かつ紫外線の光源が低圧水銀灯、水銀灯、蛍光灯など交流で駆動するものである場合、一周期以上にわたって検知された紫外線強度を積分する機能を設けることが好ましい。この積分機能は、簡単にはコンデンサを検知手段の物理量を出力する出力端子に接続することで実現することができる。このときの積分間隔はサンプリング間隔より短くてもよい。なお、この場合に得られる物理量は紫外線量となるが、積分時間で平均化することにより紫外線強度とすることもできる。
【００２０】
また、請求項３に記載の発明のように、請求項１又は請求項２に記載の発明において、前記記憶手段により記憶された前記物理量情報に基づく表示情報を表示するための表示手段を更に備えると共に、前記制御手段は、前記記憶手段により記憶された前記物理量情報により示される物理量を時系列に表示すると共に、前記停止タイミング情報により示される測定を停止したタイミングを示すマークを表示するように前記表示手段を制御することが好ましい。なお、上記表示手段には、液晶ディスプレイ、有機ＥＬディスプレイ、プラズマディスプレイ、ＣＲＴディスプレイ等のあらゆるディスプレイが含まれる。
【００２１】
また、請求項４に記載の発明のように、請求項３に記載の発明において、前記制御手段は、更に前記記憶手段により記憶された前記物理量情報により示される物理量を累積した累積物理量を表示するように前記表示手段を制御することが好ましい。
【００２２】
更に、請求項５に記載の発明のように、請求項３又は請求項４記載の発明における前記表示手段を前記検知手段とは異なる面に配置することが好ましい。
【００２３】
また、請求項６に記載の発明のように、請求項１乃至請求項５の何れか１項記載の発明において、前記タイミング検出手段を、前記検知手段により検知された物理量が所定量以上となったことを検出することにより前記第１タイミングを検出し、かつ当該物理量が前記所定量未満となったことを検出することにより前記第２タイミングを検出するものとすることが好ましい。
【００２４】
また、請求項７に記載の発明のように、請求項１乃至請求項５の何れか１項記載の発明において、必要に応じて操作される操作手段を更に備えると共に、前記タイミング検出手段を、前記操作手段が操作されたことを検出することにより前記第１タイミングを検出し、かつ前記操作手段が再び操作されたことを検出することにより前記第２タイミングを検出するものとすることも好ましい。
【００２５】
また、請求項８に記載の発明のように、請求項１乃至請求項５の何れか１項記載の発明において、必要に応じて操作される操作手段を更に備えると共に、前記タイミング検出手段を、前記検知手段により検知された物理量が所定量以上となったことを検出することにより前記第１タイミングを検出し、かつ前記操作手段が操作されたことを検出することにより前記第２タイミングを検出するものとすることも好ましい。
【００２６】
更に、請求項９に記載の発明のように、請求項１乃至請求項５の何れか１項記載の発明において、必要に応じて操作される操作手段を更に備えると共に、前記タイミング検出手段を、前記操作手段が操作されたことを検出することにより前記第１タイミングを検出し、かつ前記検知手段により検知された物理量が所定量未満となったことを検出することにより前記第２タイミングを検出するものとすることも好ましい。
【００２７】
また、請求項１０に記載の発明のように、請求項７乃至請求項９の何れか１項に記載の発明における前記操作手段を前記検知手段とは異なる面に配置とすることが好ましい。
【００２８】
また、請求項１１に記載の発明のように、請求項１乃至請求項１０の何れか１項記載の発明において、前記記憶手段に記憶する物理量情報に圧縮及び暗号化の少なくとも一方の処理を施す処理手段を更に備えることが好ましい。
【００２９】
更に、請求項１２に記載の発明のように、請求項１乃至請求項１１の何れか１項記載の発明において、前記記憶手段に記憶された前記物理量情報を外部に出力するための出力端子を更に備えることが好ましい。
【００３０】
一方、上記第２の目的を達成するために、請求項１３記載の紫外線測定システムは、請求項１乃至請求項１２の何れか１項記載の紫外線測定装置と、前記紫外線測定装置によって記憶された物理量情報を取得して記録する情報記録装置と、前記紫外線測定装置と前記情報記録装置との間における情報の通信を制御する通信制御装置と、を備えたものである。
【００３１】
請求項１３に記載の紫外線測定システムによれば、請求項１乃至請求項１２の何れか１項記載の紫外線測定装置によって記憶された物理量情報が情報記録装置によって取得されて記録される。このとき、上記紫外線測定装置と上記情報記録装置との間における情報の通信が通信制御装置によって制御される。
【００３２】
このように、請求項１３に記載の紫外線測定システムによれば、本発明に係る紫外線測定装置によって記憶された物理量情報を情報記録装置に記録しているので、情報記録装置自身、又は情報記録装置に接続された装置により、本発明に係る紫外線測定装置によって記憶された物理量情報を容易に利用することができる。
【００３３】
なお、請求項１４に記載の発明のように、請求項１３に記載の発明における前記紫外線測定装置は、前記記憶手段に記憶された前記物理量情報と前記停止タイミング情報とを前記情報記録装置に前記通信制御装置を介して送信し、前記情報記録装置は、前記紫外線測定装置から受信した前記停止タイミング情報に基づいて、前記紫外線測定装置から受信した前記物理量情報を、途中で停止されることなく連続して測定された物理量情報毎に１つのファイルとして記録することが好ましい。
【００３４】
また、請求項１５に記載の発明のように、請求項１３又は請求項１４に記載の発明における前記通信制御装置は、前記紫外線測定装置が有する通信プロトコルと前記情報記録装置が有する通信プロトコルとが異なる場合の通信プロトコルのインタフェース機能、前記記憶手段に記憶された物理量情報が圧縮されたものである場合の伸張機能、前記記憶手段に記憶された物理量情報が暗号化されたものである場合の復号化機能の少なくとも１つの機能を備えることができる。
【００３５】
【発明の実施の形態】
以下、図面を参照して、本発明の実施の形態について詳細に説明する。
【００３６】
〔第１実施形態〕
まず、図１を参照して、本実施の形態に係る紫外線測定システム１０の構成を説明する。
【００３７】
同図に示すように、本実施の形態に係る紫外線測定システム１０は、紫外線強度を自動的に計測する携帯型の紫外線測定装置２０と、該紫外線測定装置２０によって測定された紫外線強度を収集して各種処理を行う情報端末装置８０と、上記紫外線測定装置２０と上記情報端末装置８０との間における各種情報の通信を制御する通信装置６０と、を含んで構成されている。紫外線測定装置２０のデータ入出力端子４８は通信装置６０の後述するインタフェース・コネクタ７２（図６も参照）に接続されており、通信装置６０のインタフェース・コネクタ７４は情報端末装置８０に設けられている不図示のＵＳＢ（Ｕｎｉｖｅｒｓａｌ　Ｓｅｒｉａｌ　Ｂｕｓ）コネクタに接続されている。従って、情報端末装置８０は、通信装置６０を介して、紫外線測定装置２０によって測定された紫外線強度を示す紫外線強度情報を紫外線測定装置２０から入力することができると共に、紫外線測定装置２０に対して各種情報を出力することができる。
【００３８】
本実施の形態に係る紫外線測定装置２０は、各種情報を表示するための液晶ディスプレイ４０と、紫外線強度を検知する紫外線受光素子４２と、紫外線強度を検知する外部取付型の不図示の紫外線受光素子を接続するための外部入力端子４４と、当該紫外線測定装置２０のユーザからの各種情報を入力するためのスイッチであるアップスイッチ４６Ａ、ダウンスイッチ４６Ｂ、モード切換スイッチ４６Ｃ及び設定スイッチ４６Ｄと、当該紫外線測定装置２０によって測定された紫外線強度を示す紫外線強度情報の出力及び情報端末装置８０からの各種情報の入力を可能とするデータ入出力端子４８と、必要に応じて鳴動されるブザー５０と、を含んで構成されており、図１に示すように、液晶ディスプレイ４０、紫外線受光素子４２、外部入力端子４４、アップスイッチ４６Ａ、ダウンスイッチ４６Ｂ、モード切換スイッチ４６Ｃ、設定スイッチ４６Ｄ、データ入出力端子４８、及びブザー５０は、紫外線測定装置２０の外部に露出した状態で設けられている。
【００３９】
なお、本実施の形態では、紫外線受光素子４２として、マグネシウムを添加した水素化窒化ガリウム素子を適用している。この素子は、可視光を除いた紫外線強度を高精度に測定することができると共に、小型であるので、装置を小型化することができる。本実施の形態では、紫外線受光素子４２を、液晶ディスプレイ４０の表示領域外に設置しているが、液晶ディスプレイ４０の表面で、かつ液晶ディスプレイ４０による表示領域外に接着搭載してもよい。これによって紫外線測定装置２０を小型化することができると共に、ユーザに対して紫外線強度の測定位置を容易に認識させることができる。
【００４０】
また、外部入力端子４４には、紫外線受光素子４２と同タイプの紫外線受光素子や、異なるタイプの紫外線受光素子（例えば、紫外線受光素子４２より紫外線強度の計測感度は高いが、紫外線受光素子４２より占有面積が大きなもの等）を接続することができる。このように、外部に紫外線受光素子を接続することによって、任意の方向からの紫外線強度をモニターすることができる。なお、本実施の形態では、外部入力端子４４に紫外線受光素子が接続されているときには、内蔵された紫外線受光素子４２による紫外線強度の測定が休止するように構成されている。これによって、紫外線測定装置２０の電力消費量を低減することができる。
【００４１】
ところで、図２（Ａ）に示すように、本実施の形態に係る紫外線測定装置２０には、紫外線強度を測定するときに装着されて当該紫外線測定装置２０に設けられた電子部品の温度の上昇を抑制する遮熱カバー５２が用意されている。図２（Ｂ）に示すように、遮熱カバー５２は、紫外線測定装置２０に装着された状態で紫外線受光素子４２及び外部入力端子４４に対応する位置に切り欠き状の窓を設けることによって、装置表面に設けられた殆ど全ての構成部品を覆い隠すものとされており、例えばアルミニウム材等から形成され、その表面は輻射熱、紫外線等を反射できるように略鏡面仕上げされている。
【００４２】
また、本実施の形態に係る紫外線測定装置２０は様々な用途に使用できるものであるが、ここでは、図３に示される印刷システム９０で使用する場合について説明する。この印刷システム９０は、不図示の印刷対象物をベルトコンベア９２により図３太矢印方向（紙面右方向）に搬送しつつ、当該印刷対象物に対して印刷装置９４により紫外線硬化性のインクを用いて印刷処理を施した後、紫外線を発する水銀灯で構成されたランプ９６から直接的又は楕円ミラー９８を介して間接的に紫外線を照射することによりインクを硬化させて乾燥させるものである。
【００４３】
この印刷システム９０においてランプ９６から印刷対象物に対する紫外線の照射量を測定する場合には、紫外線測定装置２０を通信装置６０には接続せずに、図３に示すように、遮熱カバー５２を装着し、かつ不図示の電源スイッチをオン状態とした紫外線測定装置２０を印刷対象物に代えてベルトコンベア９２に載置し、印刷装置９４による印刷動作を停止し、かつランプ９６を印刷動作時と同様に発光させた状態でベルトコンベア９２を作動させて紫外線測定装置２０を搬送させ、その後、紫外線測定装置２０がランプ９６より搬送方向下流側に達した時点でベルトコンベア９２の作動を停止する。
【００４４】
一方、本実施の形態に係る紫外線測定装置２０には、内部に図４に示す内部回路２１が備えられている。同図に示すように内部回路２１は、紫外線測定装置２０全体の動作を司るＣＰＵ（中央演算処理装置）２２、時間を計時する時計２４、各種情報を記憶するためのメモリ２６、入力されたアナログ信号をデジタルデータに変換して出力するアナログ／デジタル変換器（以下、「Ａ／Ｄ変換器」という）２８、各々入力されたアナログ信号を増幅する２つの増幅回路３０Ａ、３０Ｃ、及び内部回路２１の各部に駆動用電力を供給する電池３２を含んで構成されている。なお、同図では錯綜を回避するために、電池３２から各部への電力供給路を示す接続線は図示を省略している。
【００４５】
ＣＰＵ２２には時計２４が接続されており、ＣＰＵ２２は時計２４によって計時されている時間を随時知ることができる。なお、時計２４をＣＰＵ２２に内蔵しておき、ソフトウェアで同様の動作を実現してもよい。
【００４６】
また、ＣＰＵ２２にはメモリ２６が接続されており、ＣＰＵ２２はメモリ２６に対する各種情報の書込み及び読出しを行うことができる。更に、ＣＰＵ２２には液晶ディスプレイ４０が接続されており、ＣＰＵ２２は液晶ディスプレイ４０に対して各種情報を表示することができる。また、ＣＰＵ２２にはアップスイッチ４６Ａ、ダウンスイッチ４６Ｂ、モード切換スイッチ４６Ｃ及び設定スイッチ４６Ｄの各スイッチが接続されており、ＣＰＵ２２は各スイッチのユーザによる押下状態を随時検知することができる。
【００４７】
一方、紫外線受光素子４２のセンサ出力端子及び外部入力端子４４は各々増幅回路３０Ａ及び増幅回路３０Ｃを介してＡ／Ｄ変換器２８の入力端に接続され、Ａ／Ｄ変換器２８の出力端はＣＰＵ２２に接続されている。ここで、Ａ／Ｄ変換器２８には、入力されたアナログ信号をサンプリングしてホールドするサンプル／ホールド回路が内蔵されている。従って、ＣＰＵ２２には、紫外線受光素子４２による瞬間的なセンサ出力のデジタル化されたデータ（以下、「瞬間紫外線強度」という。）が入力されると共に、外部入力端子４４に紫外線受光素子が接続されている場合の該紫外線受光素子によるセンサ出力のデジタル化されたデータが入力される。
【００４８】
また、ＣＰＵ２２にはデータ入出力端子４８が接続されており、ＣＰＵ２２はデータ入出力端子４８を介して各種情報の入出力を行うことができる。なお、データ入出力端子４８はＣＰＵ２２への接続以外に、メモリ２６にも直接接続されており、紫外線測定装置２０はデータ入出力端子４８を介して、外部からメモリ２６に直接各種情報を書込むことができると共に、メモリ２６から外部へ直接各種情報を読み出すことができるように構成されている。
【００４９】
更に、ＣＰＵ２２にはブザー５０が接続されており、ＣＰＵ２２は必要に応じてブザー５０を鳴動させることができる。
【００５０】
なお、本実施の形態におけるＡ／Ｄ変換器２８には、米国リニアテクノロジー社のＡ／Ｄ変換器であるＬＴＣ１５９４Ｌを適用している。このＡ／Ｄ変換器は、４チャンネル分のアナログ／デジタル変換が可能に構成されており、１２ビットの変換精度を有している。本実施の形態に係る紫外線測定装置２０では、上記４チャンネルのうち、２チャンネルを紫外線受光素子４２及び外部入力端子４４からの入力データの変換のために用い、他の１チャンネルについては電池３２の残容量の測定用に用いている。
【００５１】
一方、本実施の形態における紫外線測定装置２０では、ＣＰＵ２２が常時安定して駆動する必要があり、本実施の形態のように電池３２によって駆動させるためには、ＣＰＵ２２として低消費電力でかつ十分な処理能力が得られるものを適用する必要がある。そこで、この必要性に対応すべく、本実施の形態では、ＣＰＵ２２としてＳＣＥＮＩＸ社のＳＸ２８ＡＣを適用している。なお、このＳＸ２８ＡＣは、出荷後に自由に書き換えができる演算手続き格納用の記憶素子を内蔵しており、これによって部品点数を削減することができ、装置の低コスト化及び小型化の双方を図ることができる。
【００５２】
また、本実施の形態におけるメモリ２６には、米国ｍｉｃｒｏｃｈｉｐ　ｔｅｃｈｎｏｌｏｇｙ社の記憶素子である２４ＬＣ２５６を適用している。この記憶素子は、小型であるにもかかわらず大容量であるので、紫外線測定装置２０を小型化することができる。
【００５３】
また、本実施の形態における液晶ディスプレイ４０には、セイコーエプソン株式会社の表示モジュールであるＳＥＫ１０５４Ｂを適用している。この表示モジュールは、ドットマトリクス型の液晶表示モジュールであり、９６ドット×３２ドットの表示面に任意の情報を表示することができ、文字やグラフ等の表示が可能である。なお、本実施の形態では、液晶ディスプレイ４０による表示の必要がないときには該表示に関する回路への電力供給を切断することによって、電力消費量を低減している。
【００５４】
更に、本実施の形態における電池３２には、入手性のよい富士写真フイルム株式会社製のボタン型リチウム電池であるＣＲ２０３２を適用している。この他、充電式の二次電池を使用することもできる。
【００５５】
なお、本実施の形態に係る紫外線測定装置２０による紫外線強度のサンプリング間隔は、設定スイッチ４６Ｄを介した設定によって１ミリ秒から１０秒までの間で設定可能とされている。ここで、サンプリング間隔を短くするほど正確な測定ができる反面、測定結果を記憶するための記憶容量が増加するため、使用目的に応じて適宜変更するようにする。
【００５６】
ここで、図５を参照して、本実施の形態に係る紫外線測定装置２０におけるメモリ２６の記憶内容について説明する。なお、図５はメモリ２６の記憶内容を示す模式図である。
【００５７】
同図に示すように、メモリ２６には、測定データ（紫外線強度）に関する各種情報を記憶するための部分であるヘッダ部２６Ａと、ユーザにより設定された各種閾値を記憶するための部分である閾値部２６Ｂと、実際の測定データを記憶するための部分である測定データ部２６Ｃと、が設けられている。
【００５８】
なお、本実施の形態では、測定データの外部への漏洩を防止するために測定データに対して所定の暗号化方式にて暗号化を施した後に測定データ部２６Ｃに記憶している。上記ヘッダ部２６Ａには、このときの上記暗号化方式を示す情報等が記憶される。なお、本実施の形態では、上記暗号化方式として秘密鍵暗号方式（慣用鍵暗号方式）の一種であるＤＥＳ（Ｄａｔａ　Ｅｎｃｒｙｐｔｉｏｎ　Ｓｔａｎｄａｒｄ）を適用しており、メモリ２６のヘッダ部２６Ａには上記暗号化方式を示す情報としてＤＥＳである旨を示す情報が予め記憶されている。
【００５９】
また、本実施の形態に係る紫外線測定装置２０は、測定された瞬間紫外線強度が閾値Ｔ１以上となった場合には、注意を促すためにブザー５０を鳴動させるものとして構成されている。また、紫外線測定装置２０は、測定された瞬間紫外線強度が閾値Ｔ２以上であるときのみに自動的に瞬間紫外線強度を測定するものとして構成されている。そして、上記閾値Ｔ１及び閾値Ｔ２は、各々紫外線測定装置２０に通信装置６０を介して接続された上位装置（本実施の形態では、情報端末装置８０）から設定できるものとされている。メモリ２６の上記閾値部２６Ｂには、上位装置から設定された閾値Ｔ１及び閾値Ｔ２が記憶される。
【００６０】
次に、図６を参照して、本実施の形態に係る通信装置６０の構成を説明する。同図に示すように、本実施の形態に係る通信装置６０には、外部との通信に用いるインタフェース・コネクタ７２及びインタフェース・コネクタ７４が備えられており、インタフェース・コネクタ７２には紫外線測定装置２０におけるデータ入出力端子４８が接続され、インタフェース・コネクタ７４には情報端末装置８０に備えられている不図示のＵＳＢコネクタが接続される。
【００６１】
また、通信装置６０には内部に内部回路６１が備えられており、内部回路６１は、通信装置６０全体の動作を司るＣＰＵ（中央演算処理装置）６２と、インタフェース・コネクタ７２に接続された紫外線測定装置２０との間の各種情報のインタフェース機能を有するインタフェース回路（以下、「Ｉ／Ｆ回路」という）６６と、インタフェース・コネクタ７４に接続された情報端末装置８０との間のインタフェース機能を有するインタフェース回路（以下、「Ｉ／Ｆ回路」という）６８と、各種情報を記憶するためのメモリ６４と、内部回路６１の各部に対して駆動用の電力を供給する電源７０と、を含んで構成されている。なお、同図では錯綜を回避するために、電源７０から各部への電力供給路を示す接続線は図示を省略している。
【００６２】
ＣＰＵ６２はＩ／Ｆ回路６６を介してインタフェース・コネクタ７２に接続されている。従って、ＣＰＵ６２は、インタフェース・コネクタ７２に接続されている紫外線測定装置２０との間で各種情報の授受を行うことができる。また、ＣＰＵ６２はＩ／Ｆ回路６８を介してインタフェース・コネクタ７４に接続されている。従って、ＣＰＵ６２は、インタフェース・コネクタ７４に接続されている情報端末装置８０との間で各種情報の授受を行うことができる。更に、ＣＰＵ６２はメモリ６４にも接続されており、メモリ６４との間で各種情報の授受を行うことができる。
【００６３】
なお、本実施の形態におけるＣＰＵ６２は、紫外線測定装置２０と情報端末装置８０との間で情報を滞りなく伝達するためのタイミングの調整、情報の圧縮／伸張、情報の暗号化／復号化等を行っており、本実施の形態では、ＣＰＵ６２として米国モトローラ社のＭ６８０００（１０ＭＨｚ）を適用している。
【００６４】
また、本実施の形態におけるメモリ６４は、ＣＰＵ６２によって各種演算処理を行なう際に、一時的に各種情報を記憶するために用いられるものであり、本実施の形態では、２ＭＢ（メガバイト）の記憶容量を有するものとしている。
【００６５】
一方、本実施の形態では、情報端末装置８０として、前述のようにＵＳＢインタフェースを備えたパーソナル・コンピュータを適用しており、図１に示すように紫外線測定システム１０の一部として構成された場合において、紫外線測定装置２０によって測定された瞬間紫外線強度に関する情報を紫外線測定装置２０から入力する際には情報読込みを指示する旨の指示信号を通信装置６０に対して出力し、紫外線測定装置２０に対して前述の閾値Ｔ１及び閾値Ｔ２の少なくとも一方を出力（設定）する際には情報書込みを指示する旨の指示信号と出力すべき閾値を示す閾値データとを通信装置６０に対して出力する。
【００６６】
紫外線受光素子４２が本発明の検知手段に、メモリ２６が本発明の記憶手段に、液晶ディスプレイ４０が本発明の表示手段に、ＣＰＵ２２が本発明の制御手段及び処理手段に、データ入出力端子４８が本発明の出力端子に、通信装置６０が本発明の通信制御装置に、情報端末装置８０が本発明の情報記録装置に、各々相当する。
【００６７】
次に、図７を参照して、本実施の形態に係る紫外線測定装置２０の紫外線強度の測定時における作用を説明する。なお、図７は、紫外線測定装置２０に設けられた不図示の電源スイッチがオンされた場合にＣＰＵ２２で実行される紫外線測定処理の流れを示すフローチャートである。また、ここでは、メモリ２６の閾値部２６Ｂに閾値Ｔ１及び閾値Ｔ２が予め記憶（設定）されている場合について説明する。また、ここでは、外部入力端子４４に紫外線受光素子が接続されていないことを想定して説明する。更に、ここでは、メモリ２６の測定データ部２６Ｃの全記憶内容がクリア（本実施の形態では、‘０’が記憶された状態）されている場合について説明する。更に、ここでは、紫外線強度のサンプリング間隔が、ユーザにより設定スイッチ４６Ｄを介して予め設定されている場合について説明する。
【００６８】
図７のステップ１００では予め定められた初期画面を液晶ディスプレイ４０に表示する。図８（Ａ）には、本ステップ１００の処理によって液晶ディスプレイ４０に表示された初期画面が示されている。同図に示すように、本実施の形態における初期画面では、紫外線強度の測定が行われていないことを示す‘ＳＴＯＰ’が表示されると共に、測定された瞬間紫外線強度を示す記号である‘Ｕ：’と積算紫外線強度を示す記号である‘Ｓ：’とが表示される。この時点では、瞬間紫外線強度及び積算紫外線強度は双方とも得られていないので、同図では、各々の記号の紙面右側に‘００００’及び‘０００．００’と表示されている。なお、ここで表示される瞬間紫外線強度の単位はμＷ／ｃｍ２であり、積算紫外線強度の単位はｍＪ／ｃｍ２である。
【００６９】
次のステップ１０２では紫外線受光素子４２により測定されている瞬間紫外線強度を示す情報を取得し、次のステップ１０４では取得した情報により示される瞬間紫外線強度が閾値Ｔ１以上であるか否かを判定し、肯定判定の場合はステップ１０６に移行してブザー５０を鳴動させた後にステップ１０８に移行し、否定判定の場合にはステップ１０６の処理を実行することなくステップ１０８に移行する。
【００７０】
ステップ１０８では上記ステップ１０２において取得した瞬間紫外線強度が閾値Ｔ２以上であるか否かを判定し、否定判定の場合は瞬間紫外線強度の測定を開始するタイミングではないものと見なして上記ステップ１０２に戻り、肯定判定の場合には瞬間紫外線強度の測定を開始するタイミングであるものと見なし、当該測定を開始すべくステップ１１０に移行する。
【００７１】
ステップ１１０では紫外線受光素子４２により測定されている瞬間紫外線強度を示す情報を再び取得し、次のステップ１１２では上記ステップ１１０で取得した情報をメモリ２６の測定データ部２６Ｃの未記憶領域における先頭アドレスに記憶する。なお、本ステップ１１２において瞬間紫外線強度を示す情報をメモリ２６に記憶する際には、当該情報を予め定めた暗号化方式（本実施の形態ではＤＥＳ）によって暗号化し、暗号化された情報を記憶する。
【００７２】
次のステップ１１４では液晶ディスプレイ４０に表示すべき表示内容を構成し、次のステップ１１６では上記ステップ１１４で構成した表示内容を液晶ディスプレイ４０に表示させることによって液晶ディスプレイ４０の表示内容を更新する。
【００７３】
図８（Ｂ）には、上記ステップ１１６の処理によって液晶ディスプレイ４０に表示された画面（測定開始時画面）が示されている。同図に示すように、本実施の形態における当該画面では、上記‘ＳＴＯＰ’に代えて紫外線強度の測定が行われていることを示す‘ＲＵＮ’が表示されると共に、上記ステップ１１０の処理により取得された瞬間紫外線強度が‘Ｕ：’の紙面右側に表示される。
【００７４】
次のステップ１１８では上記ステップ１１０で取得した瞬間紫外線強度が閾値Ｔ２未満であるか否かを判定し、否定判定のときは取得した瞬間紫外線強度が閾値Ｔ２以上を維持しているものと見なしてステップ１２０に移行する。
【００７５】
ステップ１２０ではメモリ２６における測定データ部２６Ｃの残記憶容量が所定量（ここでは、１情報分の瞬間紫外線強度と、後述する停止コードを記憶できるだけの容量）未満であるか否かを判定し、否定判定の場合はステップ１２２に移行して、ユーザにより予め設定されたサンプリング間隔に対応する所定時間の経過待ちを行った後に上記ステップ１１０に戻る。
【００７６】
一方、上記ステップ１１８において肯定判定となった場合、すなわち上記ステップ１１０で取得した瞬間紫外線強度が閾値Ｔ２未満である場合はステップ１２４に移行してメモリ２６における測定データ部２６Ｃの瞬間紫外線強度を示す情報が記憶されている最終アドレスの次のアドレスに予め定められた停止コード（ここでは、‘９９９９’）を上記暗号化方式にて暗号化して記憶し、次のステップ１２６で液晶ディスプレイ４０に表示すべき表示内容を構成し、次のステップ１２８で上記ステップ１２６で構成した表示内容を液晶ディスプレイ４０に表示させることによって液晶ディスプレイ４０の表示内容を更新した後、上記ステップ１０２に戻る。
【００７７】
図８（Ｃ）には、上記ステップ１２８の処理によって液晶ディスプレイ４０に表示された画面（測定停止時画面）が示されている。同図に示すように、本実施の形態における当該画面では、それまでにメモリ２６の測定データ部２６Ｃに記憶された瞬間紫外線強度を積算した積算紫外線強度が‘Ｓ：’の紙面右側に表示される。
【００７８】
なお、本実施の形態に係る紫外線測定装置２０では、一例として図９（Ａ）に示すように、測定開始時から測定が停止された時点（同図では、時点Ａ、Ｂ、Ｃ）までの瞬間紫外線強度の積算値が算出されて表示される第１積算モードと、一例として図９（Ｂ）に示すように、測定が開始されてから停止されるまでの連続測定期間における瞬間紫外線強度の積算値が算出されて表示される第２積算モードと、の２種類の積算モードが用意されており、ユーザは、スイッチ類の操作によって予め何れの積算モードを適用するかを設定することができる。なお、本実施の形態に係る紫外線測定装置２０では、ユーザにより積算モードが設定されていない場合には、デフォルトとして第２積算モードが設定される。
【００７９】
一方、上記ステップ１２０において肯定判定となった場合、すなわちメモリ２６における測定データ部２６Ｃの残記憶容量が所定量未満となった場合にはステップ１３０に移行してメモリ２６における測定データ部２６Ｃの瞬間紫外線強度を示す情報が記憶されている最終アドレスの次のアドレスに上記停止コードを上記暗号化方式にて暗号化して記憶し、次のステップ１３２で液晶ディスプレイ４０に表示すべき表示内容を構成し、次のステップ１３４で上記ステップ１３２で構成した表示内容を液晶ディスプレイ４０に表示させることによって液晶ディスプレイ４０の表示内容を更新し、その後に本紫外線測定処理を終了する。
【００８０】
図８（Ｄ）には、上記ステップ１３４の処理によって液晶ディスプレイ４０に表示された画面（メモリ容量不足時画面）が示されている。同図に示すように、本実施の形態における当該画面では、それまでに表示されていた‘ＲＵＮ’に代えて紫外線強度の測定が行われていないことを示す‘ＳＴＯＰ’が表示されると共に、メモリ２６の測定データ部２６Ｃの残記憶容量が不足していることを示す‘Ｆ’が表示され、更に予め設定された積算モードによる積算紫外線強度が‘Ｓ：’の紙面右側に表示される。
【００８１】
以上の紫外線測定処理により、瞬間紫外線強度が閾値Ｔ１以上となった場合にはブザー５０が鳴動され、瞬間紫外線強度が閾値Ｔ２以上となった時点でユーザにより予め設定されたサンプリング間隔での瞬間紫外線強度の測定が自動的に開始されてメモリ２６の測定データ部２６Ｃへの時系列での記憶が開始され、瞬間紫外線強度が閾値Ｔ２未満となった時点で当該測定が自動的に停止されると共に、測定が停止されたことを示す停止コードが測定データ部２６Ｃに記憶される。
【００８２】
そして、メモリ２６の測定データ部２６Ｃの残記憶容量が所定量以上である場合には、以上のような自動的な瞬間紫外線強度の測定及び記憶が再び行われるが、測定データ部２６Ｃの残記憶容量が上記所定量未満となった時点で停止コードが測定データ部２６Ｃに記憶された後、紫外線測定処理が停止される。
【００８３】
図１０には、本紫外線測定処理によってメモリ２６の測定データ部２６Ｃに記憶された瞬間紫外線強度が模式的に示されている。なお、同図ではアドレスを、便宜上、１から始まって１情報毎に１づつ増加するものとして表現している。
【００８４】
同図に示すように、瞬間紫外線強度が閾値Ｔ２以上となっている期間毎に瞬間紫外線強度が時系列で記憶されると共に、各測定期間の最終アドレスの次のアドレスに停止コードが記憶されるので、停止コードを参照することにより、各測定期間別の測定結果を容易に把握することができる。
【００８５】
上記紫外線測定処理のステップ１０８及びステップ１１８の処理が本発明のタイミング検出手段に相当する。
【００８６】
次に、図１１を参照して、本実施の形態に係る紫外線測定装置２０の測定結果表示時における作用を説明する。なお、図１１は、紫外線測定装置２０により紫外線強度の測定が行われた後に、モード切換スイッチ４６Ｃが押圧操作されたときにＣＰＵ２２で実行される表示切換処理の流れを示すフローチャートである。
【００８７】
同図のステップ２００では、この時点で液晶ディスプレイ４０に表示されている紫外線強度の測定結果を文字による表示（一例として、図８（Ｄ）に示す表示）としているか否かを判定し、肯定判定の場合はステップ２０２に移行して液晶ディスプレイ４０に表示すべき表示内容を構成し、次のステップ２０６で上記ステップ２０２で構成した表示内容を液晶ディスプレイ４０に表示させることによって液晶ディスプレイ４０の表示内容を更新した後、本表示切換処理を終了する。
【００８８】
図１２には、上記ステップ２０６の処理によって液晶ディスプレイ４０に表示された画面が示されている。同図に示すように、本実施の形態における当該画面では、それまでにメモリ２６の測定データ部２６Ｃに記憶された瞬間紫外線強度を時系列に棒グラフで表示すると共に、測定開始から測定停止までの時間（同図では、‘１２３Ｓ’）と、最終測定値（同図では‘８８８’）とが表示されている。また、上記棒グラフには、測定が停止されたタイミングを示すマークとして破線が表示されている。従って、ユーザは、当該棒グラフを参照することにより、各連続測定期間の測定結果を容易に把握することができる。なお、本実施の形態に係る紫外線測定装置２０では、アップスイッチ４６Ａを押圧操作することにより液晶ディスプレイ４０に表示されたグラフを紙面左方向にスクロールさせることができ、ダウンスイッチ４６Ｂを押圧操作することにより当該グラフを紙面右方向にスクロールさせることができる。
【００８９】
一方、上記ステップ２００において否定判定された場合には、この時点で液晶ディスプレイ４０に表示されている紫外線強度の測定結果をグラフによる表示（一例として、図１２に示す表示）としているものと見なしてステップ２０４に移行し、液晶ディスプレイ４０に表示すべき表示内容を構成した後、次のステップ２０６で上記ステップ２０４で構成した表示内容を液晶ディスプレイ４０に表示させることによって液晶ディスプレイ４０の表示内容を更新した後、本表示切換処理を終了する。この結果、液晶ディスプレイ４０による測定結果の表示が、グラフ表示から文字による表示（一例として、図８（Ｄ）に示す表示）に切り換えられることになる。
【００９０】
次に、図１３を参照して、本実施の形態に係る通信装置６０の作用を説明する。なお、図１３は、通信装置６０に設けられた不図示の電源スイッチがオンされた場合にＣＰＵ６２で実行される通信処理の流れを示すフローチャートである。また、ここでは、瞬間紫外線強度が記憶されている紫外線測定装置２０が通信装置６０のインタフェース・コネクタ７２に接続されると共に、情報端末装置８０が通信装置６０のインタフェース・コネクタ７４に接続されていること、すなわち、図１に示される本実施の形態に係る紫外線測定システム１０が構成されていることを前提に説明する。
【００９１】
図１３のステップ３００では通信装置６０の各部に対する初期化を行う。なお、この初期化には、メモリ６４の記憶内容の初期化や、ＣＰＵ６２自身のリセット、Ｉ／Ｆ回路６６及びＩ／Ｆ回路６８の各々に対する初期化が含まれる。
【００９２】
次のステップ３０２では情報端末装置８０からの指示信号の入力待ちを行い、次のステップ３０４では上記ステップ３０２で情報端末装置８０から入力された指示信号が情報読込みを指示するものであったか否かを判定し、情報読込みを指示するものであった場合（肯定判定の場合）はステップ３０６へ移行して、紫外線測定装置２０のメモリ２６における測定データ部２６Ｃから記憶時間が最も早い（最もアドレスの小さい）１情報分の情報（瞬間紫外線強度を示す情報又は停止コード）、及びメモリ２６におけるヘッダ部２６Ａの暗号化方式を示す情報を、紫外線測定装置２０のデータ入出力端子４８、通信装置６０のインタフェース・コネクタ７２及びＩ／Ｆ回路６６を順に介して読み出す。
【００９３】
次のステップ３０８では上記ステップ３０６でメモリ２６から読み出した暗号化方式を示す情報に応じた復号化を上記ステップ３０６で読み出した暗号化データに対して施す。この復号化処理によって、当該暗号化データが復元されることになる。
【００９４】
次のステップ３１０では上記ステップ３０８までの処理によって得られた復元後のデータをＵＳＢインタフェースに応じたプロトコルで情報端末装置８０に送信する。
【００９５】
次のステップ３１２ではメモリ２６の測定データ部２６Ｃに記憶されている全ての情報の情報端末装置８０への送信が終了したか否かを判定し、否定判定の場合は上記ステップ３０６に戻り、肯定判定となった時点でステップ３１４に移行する。なお、上記ステップ３０６〜ステップ３１２の処理を繰り返して実行する際に上記ステップ３０６では、それまでに読み出しておらず、かつ記憶時間が最も早い（最もアドレスの小さい）１情報分の情報を読み出すようにする。
【００９６】
ステップ３１４では情報の送信が終了したことを示すデータ終了情報を情報端末装置８０に送信し、その後に上記ステップ３０２に戻る。
【００９７】
一方、上記ステップ３０４において上記ステップ３０２で情報端末装置８０から入力された指示信号が情報読込みを指示するものでなかったと判定された場合（否定判定された場合）にはステップ３１６へ移行し、上記ステップ３０２で情報端末装置８０から入力された指示信号が情報書込みを指示するものであったか否かを判定し、情報書込みを指示するものであった場合（肯定判定の場合）はステップ３１８へ移行して、上記指示信号に伴って情報端末装置８０から入力された閾値を紫外線測定装置２０のメモリ２６における閾値部２６Ｂの所定アドレスに書込んだ後、上記ステップ３０２へ戻る。
【００９８】
一方、上記ステップ３１６において指示信号が情報書込みを指示するものでなかったと判定された場合（否定判定された場合）には、上記ステップ３１８の処理を行うことなく上記ステップ３０２へ戻る。
【００９９】
これ以降、同様に上記ステップ３０２〜ステップ３１８の処理が繰り返して実行される。
【０１００】
次に、図１４を参照して、本実施の形態に係る情報端末装置８０の作用を説明する。なお、図１４は、情報端末装置８０に設けられた不図示の電源スイッチがオンされ、かつ紫外線測定装置２０との間で各種情報の送受信を行う送受信処理の実行が指示された場合に情報端末装置８０に設けられた不図示のＣＰＵで実行される送受信処理の流れを示すフローチャートである。また、ここでは、瞬間紫外線強度が記憶されている紫外線測定装置２０が通信装置６０のインタフェース・コネクタ７２に接続されると共に、情報端末装置８０が通信装置６０のインタフェース・コネクタ７４に接続されていること、すなわち、図１に示される本実施の形態に係る紫外線測定システム１０が構成されていることを前提に説明する。
【０１０１】
図１４のステップ４００では予め定められたメニュー画面を情報端末装置８０に設けられたディスプレイ８０Ａに表示し、次のステップ４０２では所定情報の入力待ちを行う。図１５には、上記ステップ４００の処理によってディスプレイ８０Ａに表示されたメニュー画面が示されている。同図に示すように、本実施の形態に係るメニュー画面では、紫外線測定装置２０に閾値Ｔ１及び閾値Ｔ２の設定を行う閾値設定処理と、紫外線測定装置２０による測定データの入力を行う測定データ入力処理と、の何れかの処理の選択を促すメッセージ及び閾値設定処理を実行する場合における設定する閾値の入力を促すメッセージが表示されると共に、閾値設定処理を選択する際に指定する矩形枠及び測定データ入力処理を選択する際に指定する矩形枠と、閾値Ｔ１及び閾値Ｔ２を各々入力するための矩形枠と、が表示されている。
【０１０２】
同図に示すようなメニュー画面がディスプレイ８０Ａに表示されるとユーザは、閾値設定処理を実行するときには閾値設定処理に対応する矩形枠をマウス等の不図示のポインティング・デバイスで指定すると共に、設定したい閾値に対応する矩形枠内に不図示のキーボードを介して所望の閾値を入力した後、当該画面の最下に表示された「終了」ボタンを上記ポインティング・デバイスで指定する。また、ユーザは、測定データ入力処理を実行するときには測定データ入力処理に対応する矩形枠を上記ポインティング・デバイスで指定した後に上記「終了」ボタンを当該ポインティング・デバイスで指定する。これにより、情報端末装置８０のＣＰＵには、閾値設定処理を実行する旨を示す情報と設定すべき閾値を示す情報か、又は測定データ入力処理を実行する旨を示す情報が入力され、上記ステップ４０２が肯定判定となってステップ４０４に移行する。なお、図１５は、ユーザにより測定データ入力処理が選択された場合の状態を示している。
【０１０３】
ステップ４０４では上記ステップ４０２において入力された情報に基づいて、ユーザにより選択された処理が閾値設定処理であったか否かを判定し、肯定判定の場合はステップ４０６に移行して情報書込みを指示する旨の指示信号と設定すべき閾値を示す閾値データとを通信装置６０に対して出力した後に本送受信処理を終了する。
【０１０４】
情報書込みを指示する旨の指示信号を受信した通信装置６０では、前述の通信処理（図１３も参照）のステップ３１８の処理により、ユーザによってメニュー画面（図１５も参照）上で入力された閾値が紫外線測定装置２０のメモリ２６における閾値部２６Ｂに記憶される。
【０１０５】
一方、上記ステップ４０４において否定判定された場合には、ユーザにより指定された処理が測定データ入力処理であったものと見なしてステップ４０８に移行し、情報読込みを指示する旨の指示信号を通信装置６０に対して出力した後にステップ４１０に移行する。
【０１０６】
情報読込みを指示する旨の指示信号を受信した通信装置６０では、前述の通信処理（図１３も参照）のステップ３０６〜ステップ３１４の処理により、紫外線測定装置２０のメモリ２６における測定データ部２６Ｃに記憶された情報が１情報ずつ読み出され、復号化されて情報端末装置８０に送信され、全ての情報の情報端末装置８０への送信が終了した後にデータ終了情報が情報端末装置８０に送信される。
【０１０７】
そこで、ステップ４１０では情報端末装置８０に設けられた不図示のハードディスクに対して紫外線強度の測定データを記憶するための１つのファイルをオープンし、次のステップ４１２では通信装置６０から送信されてくる１情報分の情報の受信待ちを行い、次のステップ４１４では受信した情報が停止コードを示す情報であったか否かを判定し、否定判定の場合には受信した情報が紫外線強度を示す情報であったものと見なしてステップ４１６に移行し、当該情報を上記ステップ４１０でオープンしたファイルに書込んだ後に上記ステップ４１２に移行する。
【０１０８】
一方、上記ステップ４１４において肯定判定された場合、すなわち、受信した情報が停止コードを示す情報であった場合にはステップ４１８に移行して上記ステップ４１０でオープンしたファイルをクローズした後にステップ４２０に移行する。
【０１０９】
ステップ４２０では通信装置６０から送信されてくる１情報分の情報の受信待ちを行い、次のステップ４２２では受信した情報がデータ終了情報であったか否かを判定し、否定判定の場合はステップ４２４に移行して上記ハードディスクに対し新たにファイルをオープンした後に上記ステップ４１４に戻り、肯定判定の場合には本送受信処理を終了する。
【０１１０】
上記ステップ４０８〜ステップ４２４の処理により、情報端末装置８０のハードディスクには、停止コードにより区切られた各測定期間毎に異なるファイルとして紫外線強度を示す情報が記憶されることになる。従って、情報端末装置８０や情報端末装置８０に接続された他の端末装置では、各ファイル毎に紫外線強度情報を利用することができる。
【０１１１】
このように、本実施の形態に係る紫外線測定装置２０では、紫外線強度の測定を開始するタイミング（本実施の形態では、紫外線強度が閾値Ｔ２以上となったタイミング）が検出されたときに予め定められたサンプリング間隔での紫外線強度の測定を開始して当該測定により得られた紫外線強度を示す情報を時系列に記憶すると共に、紫外線強度の測定を停止するタイミング（本実施の形態では、紫外線強度が閾値Ｔ２未満となったタイミング）が検出されたときに紫外線強度の測定を停止し、かつ測定を停止したタイミングを示す停止タイミング情報（本実施の形態では、停止コード）を記憶しているので、必要とされるタイミングにおける測定結果を容易に確認することができると共に、適切なタイミングでの測定を行うことができる。
【０１１２】
また、本実施の形態に係る紫外線測定装置２０では、メモリ２６により記憶された紫外線強度情報に基づく表示情報を表示するための液晶ディスプレイ４０を備えると共に、メモリ２６により記憶された紫外線強度情報により示される紫外線強度を時系列に表示すると共に、上記停止タイミング情報により示される測定を停止したタイミングを示すマーク（本実施の形態では、図１２に示される破線）を表示するように液晶ディスプレイ４０を制御しているので、液晶ディスプレイ４０に時系列に表示された紫外線強度の時間的に連続していない部分を明確化することができる。
【０１１３】
また、本実施の形態に係る紫外線測定装置２０では、メモリ２６により記憶された情報により示される紫外線強度を累積した累積紫外線強度を液晶ディスプレイ４０に表示するようにしているので、当該累積紫外線強度を容易に把握することができる。
【０１１４】
また、本実施の形態に係る紫外線測定装置２０では、紫外線受光素子４２により検知された紫外線強度が閾値Ｔ２以上となったことを検出することにより紫外線強度の測定を開始するタイミングを検出すると共に、当該紫外線強度が閾値Ｔ２未満となったことを検出することにより紫外線強度の測定を停止するタイミングを検出するものとしたので、必要とされる紫外線強度の測定を自動的に行うことができる。
【０１１５】
また、本実施の形態に係る紫外線測定装置２０では、メモリ２６に記憶されている情報（紫外線強度情報、停止コード）を外部に出力するためのデータ入出力端子４８を備えているので、メモリ２６に記憶されている上記情報を外部から利用することができる。
【０１１６】
また、本実施の形態に係る紫外線測定装置２０では、外部から紫外線強度を入力するための外部入力端子４４を備えているので、何らかの理由で紫外線測定装置２０に一体的に備えることができない紫外線受光素子を紫外線測定装置２０に接続することができる。
【０１１７】
また、本実施の形態に係る紫外線測定装置２０では、紫外線強度を暗号化してメモリ２６に記憶しているので、紫外線強度の外部への漏洩を防止することができる。
【０１１８】
一方、本実施の形態に係る紫外線測定システム１０では、紫外線測定装置２０によって記憶された紫外線強度情報を情報端末装置８０に記録しているので、情報端末装置８０自身、又は情報端末装置８０に接続された他の装置により、紫外線測定装置２０によって記憶された紫外線強度情報を容易に利用することができる。
【０１１９】
また、本実施の形態に係る紫外線測定システム１０では、紫外線測定装置２０により、メモリ２６に記憶された紫外線強度情報と停止コードとを情報端末装置８０に通信装置６０を介して送信し、情報端末装置８０により、紫外線測定装置２０から受信した停止コードに基づいて、紫外線測定装置２０から受信した紫外線強度情報を、途中で停止されることなく連続して測定された情報毎に１つのファイルとして記録しているので、情報端末装置８０自身、又は情報端末装置８０に接続された他の装置により、各ファイル毎に紫外線強度情報を利用することができる。
【０１２０】
更に、本実施の形態に係る紫外線測定システム１０では、通信装置６０に、紫外線測定装置２０と情報端末装置８０との間の通信プロトコルのインタフェース機能、及びメモリ２６に暗号化されて記憶された紫外線強度情報を復号するための復号化機能を備えているので、これらの機能を情報端末装置８０に対して備える必要がなくなり、情報端末装置８０のコストを低減することができる。
【０１２１】
〔第２実施形態〕
まず、図１６を参照して、本第２実施形態に係る紫外線測定装置２０Ｂの外観上の構成を説明する。なお、図１６の図１と同一の構成要素については図１と同一の符号を付して、その説明を省略する。
【０１２２】
図１６（Ａ）及び図１６（Ｂ）に示すように、本第２実施形態に係る紫外線測定装置２０Ｂは、紫外線強度を検知する紫外線受光素子として紫外線受光素子４２及び紫外線受光素子４２Ｂの２つが設けられている点、及びこれらの紫外線受光素子が紫外線測定装置２０Ｂの正面ではなく背面に設けられている点のみが上記第１実施形態に係る紫外線測定装置２０と異なっている。
【０１２３】
すなわち、本実施の形態に係る紫外線測定装置２０Ｂは、測定すべき紫外線を装置の背面側において受光するものとし、液晶ディスプレイ４０、ブザー５０、各種スイッチ等の電子部品を紫外線受光素子とは異なる面に配設することによって、これら電子部品を紫外線から保護することができるようにすると共に、紫外線強度の測定時における操作性を向上させるようにしたものである。従って、紫外線測定装置２０Ｂには、電子部品の温度の上昇を抑制する遮熱カバー５２（図２も参照）は用意されていない。
【０１２４】
なお、本実施の形態に係る紫外線測定装置２０Ｂも様々な用途に使用できるものであるが、ここでは、図１７に示されるフラットベッド型の紫外線照射装置５４で使用する場合について説明する。
【０１２５】
この紫外線照射装置５４は、半導体素子を作製する際に用いられるものである。すなわち、半導体素子を作製するには、通常、１枚のシリコン・ウェハに対して多数のチップを２次元平面状に形成した後、当該シリコン・ウェハをチップ毎に切り離す（ダイシングする）工程が必要であるが、このシリコン・ウェハの切り離しの際に各チップがばらばらになることを防止するため、粘着面に紫外線硬化性の樹脂が塗布された粘着テープを当該シリコン・ウェハの表面に貼り付けている。紫外線照射装置５４は、このシリコン・ウェハの切り離しが行われた後に上記粘着テープが容易に剥がせるようにするために紫外線を照射するものである。
【０１２６】
この紫外線照射装置５４は、上面部の一端部に開閉蓋５７が開閉可能に軸支された箱状の筐体５５と、筐体５５内に配設され、かつ筐体５５内を筐体５５の一端部近傍と他端部近傍との間で水平方向（紙面左右方向）に往復移動可能に構成されると共に、紫外線を発するメタルハライドランプにより構成されたランプ５６及びＵ字ミラー５８を含んで構成された紫外線照射部５９と、を備えている。
【０１２７】
なお、筐体５５の上面部には、ほぼ全域に亘る矩形状の開口が設けられており、当該開口には不図示のガラス板が嵌め込まれている。従って、当該ガラス板の上に紫外線を照射する対象物（シリコン・ウェハ）を載置した状態でランプ５６を発光させて紫外線照射部５９を筐体５５の一端部近傍から他端部近傍まで水平方向に移動させた後に上記一端部近傍まで復帰させることにより、上記対象物の上記ガラス板に対向させた面に対して紫外線を照射することができる。
【０１２８】
この紫外線照射装置５４におけるランプ５６から上記対象物に対する紫外線の照射量を測定する場合には、紫外線測定装置２０Ｂを通信装置６０には接続せずに、図１７に示すように、不図示の電源スイッチをオン状態とした紫外線測定装置２０Ｂを上記対象物に代えて筐体５５の上面部のガラス板上に紫外線受光素子４２がガラス板側を向くように載置し、ランプ５６を発光させた状態で紫外線照射部５９を通常の動作と同様に移動させる。
【０１２９】
次に、図１８を参照して、本実施の形態に係る紫外線測定装置２０Ｂに備えられた内部回路２１Ｂの構成について説明する。なお、図１８の図４と同一の構成要素については図４と同一の符号を付して、その説明を省略する。
【０１３０】
図１８に示すように、本第２実施形態に係る紫外線測定装置２０Ｂの内部回路２１Ｂは、増幅回路３０Ｂが設けられて紫外線受光素子４２Ｂのセンサ出力端子が増幅回路３０Ｂを介してＡ／Ｄ変換器２８の入力端に接続されている点のみが上記第１実施形態に係る紫外線測定装置２０の内部回路２１と異なっている。なお、紫外線測定装置２０Ｂ以外の構成は上記第１実施形態と同様であるので、ここでの説明は省略する。
【０１３１】
なお、本第２実施形態に係る紫外線測定装置２０Ｂでは、紫外線強度の測定を自動的に行うのではなく、ユーザによる所定スイッチ（本実施の形態では、アップスイッチ４６Ａ及びダウンスイッチ４６Ｂ）の操作に応じて測定の開始及び停止を行うものとして構成されている。従って、紫外線測定装置２０Ｂでは、閾値Ｔ２を設定する必要はない。アップスイッチ４６Ａ及びダウンスイッチ４６Ｂが本発明の操作手段に相当する。
【０１３２】
次に、図１９を参照して、本第２実施形態に係る紫外線測定装置２０Ｂの紫外線強度の測定時における作用を説明する。なお、図１９は、紫外線測定装置２０Ｂに設けられた不図示の電源スイッチがオンされた場合にＣＰＵ２２で実行される紫外線測定処理の流れを示すフローチャートであり、図７と同一の処理を行うステップについては図７と同一のステップ番号を付して、その説明を省略する。
【０１３３】
図１９のステップ１０８Ｂでは、所定スイッチ（本実施の形態では、アップスイッチ４６Ａ又はダウンスイッチ４６Ｂ）が押圧操作されたか否かを判定し、否定判定の場合はステップ１０２へ戻り、肯定判定の場合はステップ１１０に移行する。一方、ステップ１１８Ｂでは、上記所定スイッチが押圧操作されたか否かを判定し、否定判定の場合はステップ１２０へ、肯定判定の場合はステップ１２４へ、各々移行する。
【０１３４】
本第２実施形態に係る紫外線測定処理により、瞬間紫外線強度が閾値Ｔ１以上となった場合にはブザー５０が鳴動され、ユーザによって所定スイッチが押圧操作された時点でユーザにより予め設定されたサンプリング間隔での瞬間紫外線強度の測定が開始されてメモリ２６の測定データ部２６Ｃへの時系列での記憶が開始され、ユーザによって所定スイッチが再び押圧操作された時点で当該測定が停止されると共に、測定を停止したことを示す停止コードが測定データ部２６Ｃに記憶される。
【０１３５】
そして、メモリ２６の測定データ部２６Ｃの残記憶容量が所定量以上である場合には、以上のような瞬間紫外線強度の測定及び記憶を再び行うことができるが、測定データ部２６Ｃの残記憶容量が上記所定量未満となった時点で停止コードが測定データ部２６Ｃに記憶された後、紫外線測定処理が停止される。
【０１３６】
この結果、一例として図１０に示されるような状態で紫外線強度を記憶することができる。
【０１３７】
なお、紫外線測定装置２０Ｂのその他の動作と、通信装置６０及び情報端末装置８０の動作は、上記第１実施形態と同様であるので、ここでの説明は省略する。
【０１３８】
このように、本実施の形態に係る紫外線測定装置２０Ｂでは、上記第１実施形態に係る紫外線測定装置２０と同様の効果を奏することができると共に、液晶ディスプレイ４０を紫外線受光素子とは異なる面に配置しているので、液晶ディスプレイ４０に対する紫外線の悪影響を回避することができる。
【０１３９】
更に、本実施の形態に係る紫外線測定装置２０Ｂでは、所定スイッチの操作によって紫外線強度の測定を開始するタイミングと、紫外線強度の測定を停止するタイミングとを入力することにより、これらのタイミングを検出するようにしたので、これらのタイミングを自動的に検出する場合に比較して、より確実に検出することができる。
【０１４０】
なお、本第２実施形態では、紫外線測定装置２０Ｂに備えられた紫外線受光素子４２Ｂを用いない場合について説明したが、本発明はこれに限定されるものではなく、例えば、紫外線受光素子４２と紫外線受光素子４２Ｂの双方を用いて紫外線強度を測定する形態とすることもできることは言うまでもない。
【０１４１】
この形態の一例として、一方の紫外線受光素子の受光面に紫外線防止用の化合物やフィルム等を設け、この紫外線受光素子による紫外線強度の測定結果と、他の紫外線受光素子による紫外線強度の測定結果とを用いて、上記紫外線防止用の化合物やフィルム等の紫外線の遮蔽効果を確認する形態を例示することができる。
【０１４２】
この場合の具体的な形態としては、例えば、紫外線受光素子４２Ｂのみに紫外線防止用の化合物やフィルム等を設け、紫外線受光素子４２により得られた瞬間紫外線強度ＵＶ１と紫外線受光素子４２Ｂにより得られた瞬間紫外線強度ＵＶ２とを用いて、次の（１）式により紫外線防止率Ｗを算出する形態が挙げられる。
【０１４３】
Ｗ＝（ＵＶ２／ＵＶ１）×１００　　　　　（１）
また、本第２実施形態では、紫外線測定装置２０Ｂに紫外線受光素子を２つ搭載した場合について説明したが、本発明はこれに限定されるものではなく、紫外線受光素子を１つ、又は３つ以上搭載する形態とすることもできる。紫外線受光素子を１つのみ搭載した場合は、紫外線測定装置２０Ｂをより小型化、低コスト化することができる。また、紫外線受光素子を３つ以上搭載した場合は、複数種類の紫外線防止剤を各々紫外線受光素子の受光面側に塗布することによって、各紫外線防止剤毎の紫外線遮蔽量を同時に計測することができる。
【０１４４】
また、本第２実施形態では、遮熱カバーを用いない場合について説明したが、本発明はこれに限定されるものではなく、一例として図２０に示すような遮熱カバー５２Ｂを用意しておき、必要に応じて紫外線測定装置２０Ｂに装着する形態とすることもできる。この場合、紫外線測定装置２０Ｂの耐熱性能を本実施の形態に比較して向上できる。
【０１４５】
また、上記各実施の形態では、本発明の紫外線に関する物理量として紫外線強度を適用した場合について説明したが、本発明はこれに限定されるものではなく、当該物理用として紫外線量を適用する形態とすることもできる。この形態は、各実施の形態に係る紫外線測定装置の増幅回路３０Ａ〜３０Ｃの前段に積分回路を設置するのみで簡易に実現することができる。この場合も上記各実施の形態と同様の効果を奏することができる。
【０１４６】
また、上記各実施の形態では、停止コードを紫外線強度の測定が停止されたタイミングで時系列に記憶することにより測定が停止されたタイミングを記憶する場合について説明したが、本発明はこれに限定されるものではなく、紫外線強度の測定が停止される直前にメモリ２６に記憶された紫外線強度情報の記憶アドレスを記憶する形態や、測定を開始した時間から測定が停止されるまでの経過時間を示す情報を記憶する形態等とすることもできる。これらの場合にも、上記各実施の形態と同様の効果を奏することができる。
【０１４７】
また、上記各実施の形態では、情報端末装置８０において測定データを連続測定期間毎に異なるファイルとして記録する場合について説明したが、本発明はこれに限定されるものではなく、全ての測定データを１つのファイルとして記録する形態や、当該形態と連続測定期間毎に異なるファイルとして記録する形態とを選択可能とする形態とすることもできる。
【０１４８】
また、上記各実施の形態では、紫外線測定装置において、紫外線強度が閾値Ｔ１以上である場合にブザー５０を鳴動することによってユーザに注意を促す場合について説明したが、本発明はこれに限定されるものではなく、例えば、ＬＥＤ等のランプを紫外線測定装置に設けておき、紫外線強度が閾値Ｔ１以上である場合に上記ランプを点灯することによってユーザに注意を促す形態とすることもできる。この場合も、上記各実施の形態と同様の効果を奏することができる。
【０１４９】
また、上記各実施の形態では、通信装置６０と情報端末装置８０との間の情報通信のインタフェース仕様としてＵＳＢ仕様を適用した場合について説明したが、本発明はこれに限定されるものではなく、例えば、ＲＳ−４２２やＲＳ−２３２Ｃ等を適用する形態とすることもできる。この場合も、上記各実施の形態と同様の効果を奏することができる。
【０１５０】
また、上記各実施の形態では、情報端末装置８０から紫外線測定装置に書込む情報として閾値Ｔ１及び閾値Ｔ２を適用した場合について説明したが、本発明はこれに限定されるものではなく、例えば、紫外線測定装置に内蔵されたＣＰＵ２２の演算手続きを示す情報を書込む形態とすることもできる。この場合は、ＣＰＵ２２による処理手順を随時変更することができるので、紫外線測定装置の多機能化を実現できる。
【０１５１】
また、上記各実施の形態では、測定データをメモリ２６に記憶する際に当該測定データを単に暗号化する場合について説明したが、本発明はこれに限定されるものではなく、例えば、上記暗号化に加えて圧縮処理を施す形態とすることもできる。この場合は、上記各実施の形態に比較して測定データ部２６Ｃを小容量化することができる。
【０１５２】
また、上記各実施の形態では、本発明のマークとして破線（図１２参照）を適用した場合について説明したが、本発明はこれに限定されるものではなく、例えば、一点鎖線等の他の線や、文字、記号、色等によるマーク等、測定を停止したタイミングを示すことのできるものであれば、如何なるものでも本発明のマークとして適用できる。
【０１５３】
また、上記各実施の形態では、紫外線測定装置と通信装置６０との間の通信、及び通信装置６０と情報端末装置８０との間の通信を有線で行う場合について説明したが、本発明はこれに限定されるものではなく、各通信とも超音波、電波、静電場、赤外線等を用いた無線で行う形態とすることもできる。
【０１５４】
この場合は、各装置間における各種情報の授受を各装置間の距離に関係なく行うことができ、紫外線測定装置の利用範囲を広範囲化することができる反面、上記各実施の形態のように通信装置６０から紫外線測定装置のメモリ２６をＣＰＵ２２を介することなくダイレクトにアクセスすることが技術的に困難であるため、この場合、通信装置６０はＣＰＵ２２を介してメモリ２６をアクセスする形態が採用される場合が多い。
【０１５５】
従って、この形態が採用された場合、通信装置６０は情報端末装置８０から情報読込みを指示する旨の指示信号を受信したときや、情報書込みを指示する旨の指示信号を受信したときには、紫外線測定装置のＣＰＵ２２に対して当該指示信号に対応する要求信号を出力する。そして、該要求信号を入力したＣＰＵ２２は、該要求信号が示す指示内容に応じて、メモリ２６に記憶されている情報を読み出して通信装置６０に出力したり、メモリ２６に情報を書込んだりする。
【０１５６】
なお、上記通信を赤外線を用いた無線で行う場合の通信方式としては、ＩｒＤＡ（Ｉｎｆｒａｒｅｄ　Ｄａｔａ　Ａｓｓｏｃｉａｔｉｏｎ）方式等を適用することができる。
【０１５７】
また、上記各実施の形態では、液晶ディスプレイ４０に瞬間紫外線強度を時系列にグラフ表示する際の形態として棒グラフを適用した場合について説明したが、本発明はこれに限定されるものではなく、例えば、折れ線グラフを適用することもできる。この場合も、上記各実施の形態と同様の効果を奏することができる。
【０１５８】
更に、上記各実施の形態において説明した各種処理（図７、図１１、図１３、図１４、図１９参照）の流れは一例であり、本発明の主旨を逸脱しない範囲内において適宜変更可能であることは言うまでもない。
【０１５９】
また、本発明は上記各実施の形態に限定されるものではなく、特許請求の範囲に記載された範囲内で種々の設計上の変更を行ってもよい。また、各実施の形態を任意に組み合わせて実施してもよいのは勿論である。
【０１６０】
例えば、上記第１実施形態では、紫外線受光素子４２により検知された紫外線強度が閾値Ｔ２以上となったことを検出することにより紫外線強度の測定を開始するタイミングを検出すると共に、当該紫外線強度が閾値Ｔ２未満となったことを検出することにより紫外線強度の測定を停止するタイミングを検出するものとし、上記第２実施形態では、所定スイッチの操作によって紫外線強度の測定を開始するタイミングと、紫外線強度の測定を停止するタイミングとを入力することにより、これらのタイミングを検出するようにしていたが、これらの技術を組み合わせて、紫外線受光素子４２により検知された紫外線強度が閾値Ｔ２以上となったことを検出することにより紫外線強度の測定を開始するタイミングを検出すると共に、所定スイッチの操作によって紫外線強度の測定を停止するタイミングを入力することにより紫外線強度の測定を停止するタイミングを検出する形態や、逆に所定スイッチの操作によって紫外線強度の測定を開始するタイミングを入力することにより紫外線強度の測定を開始するタイミングを検出すると共に、紫外線受光素子４２により検知された紫外線強度が閾値Ｔ２未満となったことを検出することにより紫外線強度の測定を停止するタイミングを検出する形態とすることもできる。これらの場合にも、上記各実施の形態と同様の効果を奏することができる。
【０１６１】
【発明の効果】
以上詳細に説明したように、本発明に係る紫外線測定装置によれば、紫外線に関する物理量の測定を開始する第１タイミングが検出されたときに予め定められたサンプリング間隔での上記物理量の測定を開始して当該測定により得られた物理量を示す物理量情報を時系列に記憶すると共に、上記物理量の測定を停止する第２タイミングが検出されたときに上記物理量の測定を停止し、かつ測定を停止したタイミングを示す停止タイミング情報を記憶しているので、必要とされるタイミングにおける測定結果を容易に確認することができると共に、適切なタイミングでの測定を行うことができる、という効果が得られる。
【０１６２】
また、本発明に係る紫外線測定システムによれば、本発明に係る紫外線測定装置によって記憶された物理量情報を情報記録装置に記録しているので、情報記録装置自身、又は情報記録装置に接続された装置により、本発明に係る紫外線測定装置によって記憶された物理量情報を容易に利用することができる、という効果が得られる。
【図面の簡単な説明】
【図１】実施の形態に係る紫外線測定システム１０の構成を示す外観図である。
【図２】第１実施形態に係る紫外線測定装置２０で用いられる遮熱カバー５２の構成及び紫外線測定装置２０に装着した状態を示す外観図である。
【図３】第１実施形態における紫外線測定装置２０の適用対象としての印刷システム９０の構成を示す概略側面図である。
【図４】第１実施形態に係る紫外線測定装置２０の内部構成を示すブロック図である。
【図５】実施の形態に係る紫外線測定装置に内蔵されたメモリ２６の記憶内容を示す模式図である。
【図６】実施の形態に係る通信装置６０の構成を示すブロック図である。
【図７】第１実施形態に係る紫外線測定装置２０において実行される紫外線測定処理の流れを示すフローチャートである。
【図８】紫外線測定処理の実行途中で紫外線測定装置に設けられた液晶ディスプレイ４０に表示される画面の例を示す概略図である。
【図９】累積紫外線強度の算出形態の説明に供する説明図である。
【図１０】実施の形態に係る紫外線測定処理によってメモリ２６の測定データ部２６Ｃに記憶された瞬間紫外線強度の状態を示す模式図である。
【図１１】実施の形態に係る紫外線測定装置において実行される表示切換処理の流れを示すフローチャートである。
【図１２】表示切換処理の実行途中で紫外線測定装置に設けられた液晶ディスプレイ４０に表示される画面の一例を示す概略図である。
【図１３】実施の形態に係る通信装置６０において実行される通信処理の流れを示すフローチャートである。
【図１４】実施の形態に係る情報端末装置８０において実行される送受信処理の流れを示すフローチャートである。
【図１５】送受信処理の実行途中で情報端末装置８０に設けられたディスプレイ８０Ａに表示されるメニュー画面の例を示す概略図である。
【図１６】第２実施形態に係る紫外線測定装置２０Ｂの構成を示す外観図である。
【図１７】第２実施形態における紫外線測定装置２０Ｂの適用対象としての紫外線照射装置５４の構成を示す概略破断側面図である。
【図１８】第２実施形態に係る紫外線測定装置２０Ｂの内部構成を示すブロック図である。
【図１９】第２実施形態に係る紫外線測定装置２０Ｂにおいて実行される紫外線測定処理の流れを示すフローチャートである。
【図２０】第２実施形態に係る紫外線測定装置２０Ｂで用いることのできる遮熱カバー５２Ｂの構成を示す外観図である。
【符号の説明】
１０　　紫外線測定システム
２０、２０Ｂ　　紫外線測定装置
２２　　ＣＰＵ（制御手段、処理手段）
２４　　時計
２６　　メモリ（記憶手段）
３２　　電池
４０　　液晶ディスプレイ（表示手段）
４２、４２Ｂ　　紫外線受光素子（検知手段）
４６Ａ　　アップスイッチ（操作手段）
４６Ｂ　　ダウンスイッチ（操作手段）
４６Ｃ　　モード切換スイッチ
４６Ｄ　　設定スイッチ
４８　　データ入出力端子（出力端子）
５０　　ブザー
６０　　通信装置（通信制御装置）
６２　　ＣＰＵ
６４　　メモリ
８０　　情報端末装置（情報記録装置）
【図１】
2004045161.tif 000003
【図２】
2004045161.tif 000004
【図３】
2004045161.tif 000005
【図４】
2004045161.tif 000006
【図５】
2004045161.tif 000007
【図６】
2004045161.tif 000008
【図７】
2004045161.tif 000009
【図８】
2004045161.tif 000010
【図９】
2004045161.tif 000011
【図１０】
2004045161.tif 000012
【図１１】
2004045161.tif 000013
【図１２】
2004045161.tif 000014
【図１３】
2004045161.tif 000015
【図１４】
2004045161.tif 000016
【図１５】
2004045161.tif 000017
【図１６】
2004045161.tif 000018
【図１７】
2004045161.tif 000019
【図１８】
2004045161.tif 000020
【図１９】
2004045161.tif 000021
【図２０】
2004045161.tif 000022